(57)【特許請求の範囲】
【請求項１】
握力による剪断力とモータの動力による剪断力の合力によって剪断する方式の動力アシスト機能付きはさみであって、支軸によって回動自在に支持される一対の刃部の開閉動作によって被剪断物を剪断する方式となし、かつ前記一対の刃部の各把持部間に両把持部を開き勝手になるように付勢するスプリングを有し、前記一対の把持部と動力源であるモータとが動力伝達手段にて接続され、一方の把持部には握力による切断力検知手段が組込まれ、前記切断力検知手段によりモータをＯＮ／ＯＦＦさせる構成となした電動アシスト機能付きはさみにおいて、前記握力による切断力検知手段は、はさみの把持部を握り被切断物を一対の刃部で挟んだ際に、該刃部にかかる切断力を検知し、その検知された切断力に応じて前記モータをＯＮ／ＯＦＦする方式であって、把持部に組み込まれた片持ちはりとＯＮ／ＯＦＦスイッチとで構成され、一対の把持部を握り被剪断物を一対の刃部で挟んだ際に、握力により片持ちはりがたわみ、ある一定以上の負荷によりＯＮ／ＯＦＦスイッチがＯＮとなり、前記片持ちはりに作用する負荷が小さくある一定未満の場合は片持ちはりがたわまずＯＮ／ＯＦＦスイッチがＯＦＦとなる仕組みとなし、前記切断力検知手段によりモータの動力をＯＮ／ＯＦＦするクラッチをモータと動力伝達手段との間に介設した構成となしたことを特徴とする電動アシスト機能付きはさみ。
【請求項２】
握力による剪断力とモータの動力による剪断力の合力によって剪断する方式の動力アシスト機能付きはさみであって、トグルリンク機構により回動自在に支持される一対の刃部の開閉動作によって被剪断物を剪断する方式となし、前記トグルリンク機構とモータとを動力伝達手段にて接続し、一方の把持部に組込んだ握力による切断力検知手段によりモータをＯＮ／ＯＦＦさせる構成となし、前記握力による切断力検知手段は、はさみの把持部を握り被剪断物を一対の刃部で挟んだ際に、該刃部にかかる切断力を検知し、その検知された切断力に応じて前記モータをＯＮ／ＯＦＦする方式であって、把持部に組み込まれた片持ちはりとＯＮ／ＯＦＦスイッチとで構成され、一対の把持部を握り被剪断物を一対の刃部で挟んだ際に、握力により片持ちはりがたわみ、ある一定以上の負荷によりＯＮ／ＯＦＦスイッチがＯＮとなり、前記片持ちはりに作用する負荷が小さくある一定未満の場合には片持ちはりがたわまずＯＮ／ＯＦＦスイッチがＯＦＦとなる仕組みとなした電動アシスト機能付きはさみにおいて、前記切断力検知手段によりモータの動力をＯＮ／ＯＦＦするクラッチをモータと動力伝達手段との間に介設した構成となしたことを特徴とする電動アシスト機能付きはさみ。
【請求項３】
前記クラッチに電磁クラッチを用いることを特徴とする請求項１又は２に記載の電動アシスト機能付きはさみ。
【請求項４】
前記電磁クラッチに摩擦式電磁クラッチ又はギヤー式電磁クラッチを用いることを特徴とする請求項３に記載の電動アシスト機能付きはさみ。
【請求項５】
前記握力による切断力検知手段は、片持ちはりの支点位置を変化させる方式の負荷レベル調整手段を備え、該負荷レベル調整手段は、把持部の側面部に組み込まれた片持ちはりの支点を前後方向にスライド可能に当該はりに取付けた可動部材と、該可動部材を所定の位置に固定させる凹凸嵌合手段とで構成し、前記可動部材を前後方向にスライドさせることにより片持ちはりの支点位置を変化させる仕組みとなしたことを特徴とする請求項１〜４のいずれか１項に記載の電動アシスト機能付きはさみ。
【発明の詳細な説明】
【技術分野】
【０００１】
本発明は、モータ等の動力で刃体を開閉する動力アシスト機能を備えたはさみに係り、より詳しくは握力による剪断力と動力による剪断力の合力によって剪断する方式の電動アシスト機能付きはさみに関するものである。
【背景技術】
【０００２】
一般に、植木等の剪定に用いられるはさみとしては、支軸によって回動自在に支持される一対の刃体の手動による開閉動作によって被剪断物を剪断するものであって、一対の刃体の基部にそれぞれ把持柄（レバー）がばね等によって固定されているものが普通であるが、手の力による剪断力のみでは、大きな剪断力を必要とする場合により強い力で把持柄（レバー）を操作する必要があった。このため最近は、作業の省力化をはかるため、モータの動力で刃体を開閉する方式の電動式はさみが各種提案されている。
【０００３】
特許文献１には、トリガを回転操作する可動刃が、電動モータを駆動源として回転する方式の電動式はさみにおいて、電動モータの回転動力をギヤの噛合いを経て可動刃に伝達する構成とすることによりトリガの操作性をよくし、さらにトリガの位置と可動刃の位置をセンサにより検知する構成とすることにより、トリガの回転支軸を固定することができ、かつ可動刃をトリガの回転操作量に応じて任意の位置で停止させることができる電動式せん定はさみが提案されている。
【０００４】
特許文献２には、トグルリンク機構によりモータ駆動軸を支点に屈曲した２つのリンクのなす角が開く方向に駆動軸を変位させると、２つのリンクに接続された２つの刃部（刃体）が閉じて行き、発生する剪断力が増加し、２つの刃部（刃体）が閉じる動作の後半で大きな剪断トルクが発生する構成となした電動はさみが提案されている。
【先行技術文献】
【特許文献】
【０００５】
【特許文献１】特開平１１−１２８５６１号公報
【特許文献２】特開２０１０−１７２６２２号公報
【発明の概要】
【発明が解決しようとする課題】
【０００６】
しかしながら、上記した二種類の電動はさみを含む従来の電動アシスト機能を備えた電動式はさみは、すべてモータの動力のみにより刃部（刃体）を開閉する方式であるため、大きな剪断力を得るためには高出力のモータ・バッテリーが必要となり、はさみ全体の大型化と重量アップを余儀なくされ、コストアップを免れないのみならず、はさみ全体の大型化は操作性の悪化を招き、重量アップは持ち手に大きな負担を与えることになり好ましくない。又、バッテリーが消費されてモータが動作しなくなった場合には、再充電をしない限りはさみを使用することができないこと、刃部（刃体）の開放動作には、可逆モータもしくはギヤを用いる必要があること、被剪断物の剪断負荷にかかわらず常に一定の速度で刃部（刃体）を開閉動作させるため、被剪断物の剪断負荷に応じて刃部（刃体）の開閉動作を行うことができない上、バッテリーの消費を抑制することができないこと、等の欠点を有する。
【０００７】
本発明は、上記した従来の電動アシスト機能を備えた電動式はさみの欠点を解消するためになされたもので、握力による剪断力と動力による剪断力の合力によって剪断する方式とすることにより、高出力のモータ・バッテリーが不要となり小型軽量化（操作性向上）とコスト低減がはかられるのみならず、バッテリーが消費されてモータが動作しなくなっても従来の手動式はさみとして継続使用することができ、さらに被剪断物の剪断負荷に応じて刃部（刃体）の開閉動作を行うことができる電動アシスト機能付きはさみを提供しようとするものである。
【課題を解決するための手段】
【０００８】
本発明に係る電動アシスト機能付きはさみは、握力による剪断力とモータの動力による剪断力の合力によって剪断する方式の動力アシスト機能付きはさみであって、支軸によって回動自在に支持される一対の刃部の開閉動作によって被剪断物を剪断する方式となし、かつ前記一対の刃部の各把持部（レバー）間に両把持部を開き勝手になるように付勢するスプリング（リターンスプリング）を有し、前記一対の把持部（レバー）と動力源であるモータとが動力伝達手段にて接続され、一方の把持部には握力による切断力検知手段が組込まれ、前記切断力検知手段によりモータをＯＮ／ＯＦＦさせる構成となした電動アシスト機能付きはさみにおいて、前記握力による切断力検知手段は、はさみの把持部を握り被切断物を一対の刃部で挟んだ際に、該刃部にかかる切断力を検知し、その検知された切断力に応じて前記モータをＯＮ／ＯＦＦする方式であって、把持部に組み込まれた片持ちはりとＯＮ／ＯＦＦスイッチとで構成され、一対の把持部を握り被剪断物を一対の刃部で挟んだ際に、握力により片持ちはりがたわみ、ある一定以上の負荷によりＯＮ／ＯＦＦスイッチがＯＮとなり、前記片持ちはりに作用する負荷が小さくある一定未満の場合は片持ちはりがたわまずＯＮ／ＯＦＦスイッチがＯＦＦとなる仕組みとなし、前記切断力検知手段によりモータの動力をＯＮ／ＯＦＦするクラッチをモータと動力伝達手段との間に介設した構成となしたことを特徴とするものである。
【０００９】
本発明における前記動力源としては、モータを採用しているが、例えば流体圧シリンダーを用いることもできる。又、一対の把持部（レバー）とモータとを繋ぐ動力伝達手段としては、ワイヤを用いるのが一般的である。
【００１１】
又、本発明は前記電動アシスト機能付きはさみにおいて、前記一対の刃部の一方の把持部（レバー）に動力源であるモータを一体的に設け、前記モータと他方の把持部（レバー）とを動力伝達手段を介して接続し、前記モータを付設した側の把持部（レバー）に組込んだ前記切断力検知手段によりモータをＯＮ／ＯＦＦする仕組みとすることを好ましい態様とするものである。
【００１２】
さらに、本発明に係る他の電動アシスト機能付きはさみは、握力による剪断力とモータの動力による剪断力の合力によって剪断する方式の動力アシスト機能付きはさみであって、トグルリンク機構により回動自在に支持される一対の刃部の開閉動作によって被剪断物を剪断する方式となし、前記トグルリンク機構とモータとを動力伝達手段にて接続し、一方の把持部に組込んだ握力による切断力検知手段によりモータをＯＮ／ＯＦＦさせる構成となし、前記握力による切断力検知手段は、はさみの把持部を握り被剪断物を一対の刃部で挟んだ際に、該刃部にかかる切断力を検知し、その検知された切断力に応じて前記モータをＯＮ／ＯＦＦする方式であって、把持部に組み込まれた片持ちはりとＯＮ／ＯＦＦスイッチとで構成され、一対の把持部を握り被剪断物を一対の刃部で挟んだ際に、握力により片持ちはりがたわみ、ある一定以上の負荷によりＯＮ／ＯＦＦスイッチがＯＮとなり、前記片持ちはりに作用する負荷が小さくある一定未満の場合には片持ちはりがたわまずＯＮ／ＯＦＦスイッチがＯＦＦとなる仕組みとなした電動アシスト機能付きはさみにおいて、前記切断力検知手段によりモータの動力をＯＮ／ＯＦＦするクラッチをモータと動力伝達手段との間に介設した構成となしたことを特徴とするものである。
【００１３】
なお、前記片持ちはりに作用する負荷レベル検知の強弱は、例えば片持ちはりの支点位置を変化させる方式の負荷レベル調整手段により調整することができる。この負荷レベル調整手段としては、例えば把持部（レバー）の側面部に組み込まれた片持ちはりの支点を前後方向にスライド可能に当該はりに取付けた可動部材と、この可動部材を所定の位置に固定させる凹凸嵌合手段とで構成し、前記可動部材を前後方向にスライドさせることにより片持ちはりの支点位置を変化させる方式を採用することができる。又、必要に応じて（例えば回転力伝達ギヤのギヤ比を考慮して）、前記切断力検知手段によりモータの動力をＯＮ／ＯＦＦするクラッチをモータと動力伝達手段との間に介設した構成としてもよい。前記クラッチとしては、摩擦式電磁クラッチ又はギヤ式電磁クラッチを用いることができる。
【発明の効果】
【００１４】
本発明の電動アシスト機能付きはさみは、上記のように握力による剪断力とモータ（動力）との合力によって剪断する方式の動力アシスト機能付きはさみであって、一対の刃部の一方の把持部（レバー）と動力源であるモータとを動力伝達手段にて接続し、他方の把持部（レバー）に組込んだ握力による切断力検知手段によりモータをＯＮ／ＯＦＦさせる構成となしたことにより、高出力のモータ・バッテリーが不要となり小型軽量化できることにより操作性の向上とコスト低減がはかられるのみならず、バッテリーが消費されてモータが動作しなくなっても従来の手動式はさみとして継続使用することができ、又、刃部（刃体）の開放は当該はさみのスプリング（リターンスプリング）のみであって、モータの動力を必要としないため、バッテリーの消費を抑制でき、さらに被剪断物の剪断負荷の小さいものは、従来の手動式はさみと同じ操作速度で手早く処理することができる、等の作用効果を奏する。
【図面の簡単な説明】
【００１５】
【図１】本発明の電動アシスト機能付きはさみの構成の一実施例を一部破断して示す側面図である。
【図２】図１に示す電動アシスト機能付きはさみの刃部（刃体）が閉じた状態を、動力部分を除いて示す側面図である。
【図３】図１に示す電動アシスト機能付きはさみの切断力検知手段を示す平面図である。
【図４】図１に示す電動アシスト機能付きはさみの切断力検知手段の他の一例を示す図で、（ａ）は縦断側面図、（ｂ）は平面図である。
【図５】本発明の電動アシスト機能付きはさみの構成の他の実施例を一部破断して示す側面図である。
【図６】図５に示す電動アシスト機能付きはさみの刃部（刃体）が閉じた状態を、動力部分を除いて示す側面図である。
【図７】本発明の電動アシスト機能付きはさみの構成の別の実施例を一部破断して示す側面図である。
【図８】図７に示す電動アシスト機能付きはさみの刃部（刃体）が閉じた状態を、動力部分を除いて示す側面図である。
【図９】本発明の電動アシスト機能付きはさみの、モータと動力伝達手段との間に介設して用いるクラッチ（摩擦式電磁クラッチ）によりモータをＯＮ／ＯＦＦする方式の一例を示す概略説明図で、（ａ）はクラッチが非作動の状態（レバーが開いた状態(切断力検知スイッチＯＦＦ状態））を示す側面図、（ｂ）は図（ａ）の矢視図、（ｃ）はクラッチが作動状態（切断力検知スイッチＯＮ状態）を示す側面図、（ｄ）は図（ｃ）の矢視図、（ｅ）はクラッチが非作動の状態（レバーが閉じた状態(切断力検知スイッチの動作にかかわらず全閉位置検知手段ＯＮ状態））を示す側面図、（ｆ）は図（ｅ）の矢視図をそれぞれ示す図である。
【図１０】本発明の電動アシスト機能付きはさみの、モータと動力伝達手段との間に介設して用いるクラッチにギヤ式電磁クラッチを用いてモータをＯＮ／ＯＦＦする方式の一例を示す概略説明図で、（ａ）はクラッチが非作動の状態（レバーが開いた状態）を示す側面図、（ｂ）はクラッチが作動の状態（レバーが閉じた状態）を示す側面図である。
【発明を実施するための形態】
【００１６】
図１〜図４に示す本発明の電動式はさみは、先端に第１の刃部（刃体）１−１を有するレバー１、同じく先端に第２の刃部（刃体）２−１を有するレバー２が、それぞれ支軸３を支点に回動自在に支持されて一対となし、前記一対の刃部の各レバー１、２間にはスプリング（リターンスプリング）４が介設されており、常時はスプリング（リターンスプリング）４により両レバー１、２を開き勝手になるように付勢されている。
【００１７】
又、前記一対のレバー１、２の端部には、動力源であるモータ５の動力を伝達するためのワイヤ６が接続され、このワイヤ６を介してモータ５の動力が前記一対のレバー１、２に伝達される仕組みとなしている。その構成は、制御ボックス９に収納されたモータ５にて回転される駆動軸に取付けられたワイヤ引き込み部材１０により引き込まれるワイヤ６の先端部が、一方のレバー１の端部に軸ピン７にて回動自在に枢着されたワイヤ支持部材８を介して他方のレバー２の端部のワイヤ接続部材２−２に接続されている。ワイヤ支持部材８は、ワイヤ６をスライド可能に支持する構造となしている。９−１は電源、９−２は電源スイッチ、１１はワイヤたるみ防止バネ、１２はギヤボックスである。ワイヤたるみ防止バネ１１は、制御ボックス９の内壁とワイヤ引き込み部材１０間に掛けられている。
【００１８】
前記はさみの一方のレバー１に組込まれている、前記モータ５をＯＮ／ＯＦＦさせる握力による切断力検知手段は、はさみのレバー１、２を握り被剪断物Ｗを一対の刃部１−１、２−１で挟んだ際に、該刃部にかかる切断力を片持ちはりで検知し、その検知された切断力（負荷）に応じて前記モータ５をＯＮ／ＯＦＦする働きをするもので、その構造は、一方のレバー１の側面部に形成した細長い略矩形の溝部１４内に、刃部１−１側の端部に形成した鉤形部１３−１を有する板状のはり１３が嵌め込まれ、該はり１３の一端に形成した鉤形部１３−１が凹凸嵌合方式にて装着されて片持ちはりとなし、この片持ちはり１３と、前記溝部１４内の鉤形部１３−１と反対側底部に埋設したＯＮ／ＯＦＦスイッチ１５とで構成されている。即ち、この切断力検知手段は、通常はスイッチ１５がＯＦＦ状態にあり、一対のレバー１、２を握り被剪断物Ｗを一対の刃部１−１、２−１で挟んだ際に、握力により片持ちはり１３がたわみ、ある一定以上の負荷（負荷レベル）が作用すると、そのたわんだ片持ちはり１３の端部によりＯＮ／ＯＦＦスイッチ１５が押圧されてＯＮとなり、他方、前記片持ちはり１３に作用する負荷が小さく動力を必要としない場合には片持ちはり１３の端部がＯＮ／ＯＦＦスイッチ１５より離れて当該スイッチ１５がＯＦＦとなる仕組みとなしたものである。
【００１９】
又、図４に示す電動アシスト機能付きはさみの切断力検知手段は、前記片持ちはり１３に作用する負荷レベル検知の強弱を調整可能とする手段を組込んだものを例示したもので、この負荷レベル調整手段は、前記レバー１の側面部に組み込まれた片持ちはり１３の支点を、当該はりに前後方向にスライド可能に取付けた可動部材１６と、この可動部材１６の底面を溝部１４の底部に凹凸嵌合させて当該可動部材１６を所定の位置に固定させる凹凸嵌合手段とで構成し、前記可動部材１６を前後方向にスライドさせることにより片持ちはり１３の支点位置１６−１を変化させる方式を採用したものである。
【００２０】
上記構成の電動アシスト機能付きはさみにおいて、制御ボックス９の電源スイッチ９−２をＯＮにした状態で、図１に示すように手でレバー１、２を握り被剪断物Ｗを一対の刃部１−１、２−１で挟んだ際に、握力により一定以上の負荷が作用して片持ちはり１３がたわみ、そのたわんだ片持ちはり１３の端部により切断力検知手段のＯＮ／ＯＦＦスイッチ１５が押圧されてＯＮになると、モータ５が駆動し、ワイヤ６がワイヤ引き込み部材１０により引き込まれることにより当該ワイヤが引き込まれ、握力による剪断力と動力による剪断力の合力によって刃部１−１、２−１が全閉して被剪断物Ｗが剪断される（図２）。その後、握力を緩めると、片持ちはり１３が開放されて元の状態に復帰することにより切断力検知手段のＯＮ／ＯＦＦスイッチ１５がＯＦＦとなりモータ５が停止すると同時に、スプリング（リターンスプリング）４によりレバー１、２が互いに外方へ押されて刃部１−１、２−１が開く（図１）。
【００２１】
一方、手でレバー１、２を握り被剪断物Ｗを一対の刃部１−１、２−１で挟んだ際に、片持ちはり１３に作用する負荷が小さく動力を必要としない場合には握力により片持ちはり１３がたわまないため、片持ちはり１３の端部がＯＮ／ＯＦＦスイッチ１５より離れて当該スイッチが押圧されない状態となり、ＯＮ／ＯＦＦスイッチ１５はＯＦＦとなるので、モータ５は停止したままとなる。したがってこの場合は、握力による剪断力のみで刃部１−１、２−１が全閉して被剪断物Ｗが剪断される。なおこのとき、ワイヤ６はワイヤたるみ防止バネ１１の力によりモータ駆動時と同様にワイヤ支持部材８をスライドしてワイヤ引き込み部材１０を介して引き込まれる。
【００２２】
又、図５〜図６に示す電動アシスト機能付きはさみは、はさみ部をトグルリンク機構１７で構成し、トグルリンク機構１７のリンクレバー１７−１とモータ５とを連結した構成となしたもので、その構成は、先端に第１の刃部（刃体）１−１を有するレバー１、第２の刃部（刃体）２−１、トグルリンク機構１７のリンクレバー１７−１及びレバー２を、支軸３−１、３−２、３−３、３−４により回動自在に枢着し、第２の刃部（刃体）２−１とトグルリンク機構１７のリンクレバー１７−１とを回動自在に枢着する支軸３−３に、制御ボックス９に収納されたモータ５の回転軸に取付けられたワイヤ引き込み部材１０により引き込まれるワイヤ６の端部が、一方のレバー１の端部に軸ピン７にて回動自在に枢着されたワイヤ支持部材８を介して接続され、さらに前記支軸３−３とワイヤ支持部材８間のワイヤ６に外装したスプリング（リターンスプリング）１８によりレバー１、２を開き勝手になるように付勢されている。又、一方のレバー１には前記と同様の片持ちはり１３とＯＮ／ＯＦＦスイッチ１５とで構成された切断力検知手段が設けられている。
【００２３】
上記図５〜図６に示す構成の電動アシスト機能付きはさみの場合は、手でレバー１、２を握り被剪断物Ｗを一対の刃部１−１、２−１で挟んだ際に、握力により一定以上の負荷が作用して片持ちはり１３がたわみ、そのたわんだ片持ちはり１３の端部により切断力検知手段のＯＮ／ＯＦＦスイッチ１５が押圧されてＯＮになると、モータ５が駆動し、ワイヤ６がトグルリンク機構１７を介して引き込まれることにより、握力による剪断力とモータの動力による剪断力の合力によって刃部１−１、２−１が全閉して被剪断物Ｗが剪断される（図６）。その後、握力を緩めると、片持ちはり１３が開放されて元の状態に復帰することにより切断力検知手段のＯＮ／ＯＦＦスイッチ１５がＯＦＦとなりモータ５が停止すると同時に、スプリング（リターンスプリング）１８によりレバー１、２が互いに外方へ押されて刃部１−１、２−１が開く（図５）。
【００２４】
一方、手でレバー１、２を握り被剪断物Ｗを一対の刃部１−１、２−１で挟んだ際に、片持ちはり１３に作用する負荷が小さく動力を必要としない場合も，前記と同様に、握力により片持ちはり１３がたわまないため、片持ちはり１３の端部がＯＮ／ＯＦＦスイッチ１５より離れて当該スイッチが押圧されない状態となり、ＯＮ／ＯＦＦスイッチ１５はＯＦＦとなるので、モータ５は停止したままとなる。したがってこの場合は、握力による剪断力のみで刃部１−１、２−１が全閉して被剪断物Ｗが剪断される。なおこのとき、ワイヤ６はワイヤたるみ防止バネ１１の力によりモータ駆動時と同様にワイヤ引き込み部材１０を介して引き込まれる。
【００２５】
さらに、図７〜図８に示す電動アシスト機能付きはさみは、モータ５、電源スイッチ９−２等を収納する制御ボックス９を一方のレバー１に一体的に設けた構成となしたもので、その構造は前記図１〜図４に示すように、先端に第１の刃部（刃体）１−１を有するレバー１、同じく先端に第２の刃部（刃体）２−１を有するレバー２が、それぞれ支軸３を支点に回動自在に支持されて一対となし、前記一対の刃部の各レバー１、２間に両レバー１、２を開き勝手になるように付勢するスプリング（リターンスプリング）４が介設され、一方のレバー１に前記と同様の片持ちはり１３とＯＮ／ＯＦＦスイッチ１５（図示せず）とで構成された切断力検知手段を備えたはさみにおいて、前記切断力検知手段を組込んだレバー１の端部に一体的に設けた制御ボックス９に収納されたモータ５の回転軸に取り付けられたワイヤ引き込み部材１０により引き込まれるワイヤ６の端部が、他方のレバー２の端部に接続された構成となしている。
【００２６】
上記図７〜図８に示す構成の電動アシスト機能付きはさみの場合も、前記図１〜図４に示す電動アシスト機能付きはさみと同様に、手でレバー１、２を握り被剪断物Ｗを一対の刃部１−１、２−１で挟んだ際に、握力により一定以上の負荷が作用して片持ちはり１３がたわみ、そのたわんだ片持ちはり１３の端部により切断力検知手段のＯＮ／ＯＦＦスイッチ１５が押圧されてＯＮになると、モータ５が駆動し、ワイヤ６がワイヤ引き込み部材１０により引き込まれることにより当該ワイヤが引き込まれ、握力による剪断力とモータの動力による剪断力の合力によって刃部１−１、２−１が全閉して被剪断物Ｗが剪断される（図８）。その後、握力を緩めると、片持ちはり１３が開放されて元の状態に復帰することにより切断力検知手段のＯＮ／ＯＦＦスイッチ１５がＯＦＦとなりモータ５が停止すると同時に、スプリング（リターンスプリング）４によりレバー１、２が互いに外方へ押されて刃部１−１、２−１が開く（図７）。
【００２７】
一方、手でレバー１、２を握り被剪断物Ｗを一対の刃部１−１、２−１で挟んだ際に、片持ちはり１３に作用する負荷が小さく動力を必要としない場合には、前記と同様に、握力により片持ちはり１３がたわまないため、片持ちはり１３の端部がＯＮ／ＯＦＦスイッチ１５より離れて当該スイッチが押圧されない状態となり、ＯＮ／ＯＦＦスイッチ１５はＯＦＦとなるので、モータ５は停止したままとなる。したがってこの場合は、握力による剪断力のみで刃部１−１、２−１が全閉して被剪断物Ｗが剪断される。なおこのとき、ワイヤ６はワイヤたるみ防止バネ２１の力によりモータ駆動時と同様にワイヤ引き込み部材１０を介して引き込まれる。
【００２８】
図９は前記切断力検知手段によりモータ５の動力をＯＮ／ＯＦＦするクラッチに摩擦式電磁クラッチ１９を採用し、該摩擦式電磁クラッチ１９によりモータ５の動力をワイヤ引き込み部材１０に伝達する方式を例示したもので、制御ボックス９内のモータ５にて回転される駆動軸５−１に装着された摩擦式電磁クラッチ１９と、同じく駆動軸５−１に回動可能に装着され、かつ一端にワイヤ６が接続され、他端にワイヤたるみ防止バネ１１が掛けられたワイヤ引き込み部材１０とで構成され、前記切断力検知手段のＯＮ／ＯＦＦスイッチ１５がＯＦＦの時は図９（ａ）（ｂ）に示すように摩擦式電磁クラッチ１９はモータ５側の摩擦板１９−１と、モータ５と反対側の相手側摩擦板１９−２が離れて非作動状態にあり、前記切断力検知手段のＯＮ／ＯＦＦスイッチ１５がＯＮになると、図９（ｃ）（ｄ）に示すように該電磁クラッチ１９が作動して２枚一対の摩擦板１９−１と１９−２が圧接して結合することによりモータ５が作動しワイヤ引き込み部材１０を介してワイヤ６が引き込まれる仕組みとなっている。なお、安全性を考慮して、図９（ｅ）（ｆ）に示すように切断力検知手段の片持ちはり１３の動作にかかわらずクラッチを常に非作動状態にしておくための、刃部１−１、２−１の全閉位置検出手段２０を設けてもよい。
【００２９】
又、クラッチとしては、前記摩擦式電磁クラッチ１９に替えて、図１０に示すギヤ式電磁クラッチ２９を用いることができる。図１０に示すギヤ式電磁クラッチ２９は、摩擦式電磁クラッチ１９の摩擦板１９−１、１９−２に替えて、ギヤ２９−１、２９−２を採用したもので、前記切断力検知手段のＯＮ／ＯＦＦスイッチ１５がＯＦＦの時は図１０（ａ）に示すようにモータ５側の摩擦板２９−１と、モータ５と反対側の相手側摩擦板２９−２が離れて非作動状態にあり、前記切断力検知手段のＯＮ／ＯＦＦスイッチ１５がＯＮになると、図１０（ｂ）に示すように該電磁クラッチ２９が作動して２個一対のギヤ２９−１と２９−２が嵌合して結合することによりモータ５が作動しワイヤ引き込み部材１０を介してワイヤ６が引き込まれる仕組みとなっている。
なお、摩擦式電磁クラッチ１９は、摩擦抵抗でトルクを伝えるため高回転のトルク伝達に向いているのに対し、ギヤ式電磁クラッチ２９は、比較的低回転のトルク伝達に有利である。又、摩擦式やギヤ式の電磁クラッチは、構造的に本発明の電動アシスト機能付きハサミに合わせた設計とすることが容易であり、該クラッチを収納するボックスの壁を利用して合理的な構成とすることができるという利点を有する。
【産業上の利用可能性】
【００３０】
本発明の電動アシスト機能付きはさみは、握力による剪断力とモータ（動力）との合力によって剪断する方式の動力アシスト機能付きはさみであって、一対の刃部の一方のレバーと動力源であるモータとを動力伝達手段にて接続し、他方のレバーに組込んだ握力による切断力検知手段によりモータをＯＮ／ＯＦＦさせる構成となしたことにより、高出力のモータ・バッテリーが不要となり小型軽量化できることにより操作性の向上とコスト低減がはかられるのみならず、バッテリーが消費されてモータが動作しなくなっても従来の手動式はさみとして継続使用することができ、又、刃部（刃体）の開放はスプリング（リターンスプリング）のみであって、モータの動力を必要としないため、バッテリーの消費を抑制でき、さらに被剪断物の剪断負荷の小さいものは、従来の手動式はさみと同じ操作速度で手早く処理することができる等、極めて有用性に富むものである。
【符号の説明】
【００３１】
１、２  レバー
１−１、２−１  刃部（刃体）
２−２  ワイヤ接続部材
３、３−１、３−２、３−３、３−４  支軸
４、１８  スプリング（リターンスプリング）
５  モータ
６  ワイヤ
７  軸ピン
８  ワイヤ支持部材
９  制御ボックス
９−１  電源
９−２  電源スイッチ
１０  ワイヤ引き込み部材
１１、２１  ワイヤたるみ防止バネ
１２  ギヤボックス
１３  片持ちはり
１３−１  鉤形部
１４  溝部
１５  ＯＮ／ＯＦＦスイッチ
１６  可動部材
１６−１  支点位置
１７  トグルリンク機構
１７−１  リンクレバー
１９  摩擦式電磁クラッチ
１９−１、１９−２  摩擦板
２０  全閉位置検出手段
２９  ギヤ式電磁クラッチ
２９−１、２９−２  ギヤ
Ｗ  被剪断物
【図１】
0006001427.tif 000002
【図２】
0006001427.tif 000003
【図３】
0006001427.tif 000004
【図４】
0006001427.tif 000005
【図５】
0006001427.tif 000006
【図６】
0006001427.tif 000007
【図７】
0006001427.tif 000008
【図８】
0006001427.tif 000009
【図９】
0006001427.tif 000010
【図１０】
0006001427.tif 000011